(57)【要約】  シングルソースクロスプラットフォームメディア測定のための電子装置（１１４）であって、幾人かのユーザ（１０２ａ〜１０２ｃ）の複数の電子デバイス（１０４ａ〜１０４ｆ）、好ましくは個人用デバイスを考慮して、且つそこで少なくとも部分的に決定された観測データを受信するように構成された通信インターフェース（３１０）であって、前記幾人のうちの少なくとも１人のユーザが、前記複数のうちの複数のデバイスに関連付けられ、前記複数のデバイスが、メディア露出を提供するためのオンラインプラットフォーム（１０４ａ〜１０４ｆ）を含む互いに異なる技術プラットフォームに属し、複数のデバイスが、メディア露出を備えるデバイス使用を示す選択されたイベントを観測するために使用量メーター（１０８）を備え、複数のデバイスのうちの少なくとも１つの使用量メーターが、１つ又はそれ以上の外部オフラインメディア配信プラットフォーム（１０４ｇ、１０４ｈ）上のメディアへのユーザ露出を観測する（１０８Ａ）ようにさらに構成され、複数のデバイスのうちの少なくとも１つが、装置に向けて観測の指示を備える観測データを送信するように構成される、通信インターフェース（３１０）と、受信された観測データ及びユーザを関連する電子デバイスとリンクするユーザプロファイルデータを記憶するように構成された少なくとも１つの電子データベース（１１２、３０４）と、前記データベースに機能的に接続され、その中のデータに対して動作して、複数のプラットフォーム上のメディア露出を含む少なくとも１つのユーザの行動を記述するメトリクスを組み込むユーザレベルのメディア露出メトリクスを示す少なくとも１つのデータファイルを特定するように構成されたアナライザ（１１３、３０２、３０３、３０４）であって、前記プラットフォームが、１つ又はそれ以上のオフラインプラットフォーム、及び２つ以上の同時又は順次に利用されるプラットフォーム（１０４ａ〜１０４ｈ）を含むマルチプラットフォーム使用セッション（２０６）を備える、アナライザ（１１３、３０２、３０３、３０４）とを備える、電子装置（１１４）。関連する電子デバイス（１０４ａ〜１０４ｆ）及び方法（７００）が提示されている。
2019532378.tif 000002
【特許請求の範囲】
【請求項１】
シングルソースクロスプラットフォームメディア測定のための電子装置（１１４）であって、
−幾人かのユーザ（１０２ａ〜１０２ｃ）の複数の電子デバイス（１０４ａ〜１０４ｆ）、好ましくは個人用デバイスを考慮して、且つそこで少なくとも部分的に決定された観測データを受信するように構成された通信インターフェース（３１０）であって、
前記幾人のうちの少なくとも１人のユーザが、前記複数のうちの複数のデバイスに関連付けられ、前記複数のデバイスが、メディア露出を提供するためのオンラインプラットフォーム（１０４ａ〜１０４ｆ）を含む互いに異なる技術プラットフォームに属し、前記複数のデバイスが、メディア露出を備えるデバイス使用を示す選択されたイベントを観測するために使用量メーター（１０８）を備え、前記複数のデバイスのうちの少なくとも１つの前記使用量メーターが、１つ又はそれ以上の外部オフラインメディア配信プラットフォーム（１０４ｇ、１０４ｈ）上のメディアへのユーザ露出を観測する（１０８Ａ）ようにさらに構成され、前記複数のデバイスのうちの少なくとも１つが、前記装置に向けて前記観測の指示を備える観測データを送信するように構成される、通信インターフェース（３１０）と、
−前記受信された観測データ及び前記ユーザを関連する電子デバイスとリンクするユーザプロファイルデータを記憶するように構成された少なくとも１つの電子データベース（１１２、３０４）と、
−前記データベースに機能的に接続され、その中の前記データに対して動作して、複数のプラットフォーム上のメディア露出を含む前記少なくとも１つのユーザの行動を記述するメトリクスを組み込むユーザレベルのメディア露出メトリクスを示す少なくとも１つのデータファイルを特定するように構成されたアナライザ（１１３、３０２、３０３、３０４）であって、前記プラットフォームが、１つ又はそれ以上のオフラインプラットフォーム、及び２つ以上の同時又は順次に利用されるプラットフォーム（１０４ａ〜１０４ｈ）を含むマルチプラットフォーム使用セッション（２０６）を備える、アナライザ（１１３、３０２、３０３、３０４）と
を備える、電子装置（１１４）。
【請求項２】
受信された前記観測データが、アプリケーション、ネイティブアプリケーション、デジタルサービス、ウェブ（ワールドワイドウェブ）サービス、ウェブサイト、ウェブページ、インターネット、ネットワーク、デバイス機能、端末機能、アプリケーション機能、サービス機能、メディアアイテム、コンテンツアイテム、ファイル、メディアストリーミング、電話使用、通話、メッセージ、時間、場所、ユーザ人口統計、データ転送、購入又は他の金融取引、オペレーティングシステム、ＨＴＴＰデータ転送、及びＨＴＴＰデータ転送からなる群から選択された少なくとも１つの要素の指示を備える、請求項１に記載の装置。
【請求項３】
１人又はそれ以上のユーザに関する人口統計データ、前記観測データ又はそれから導出されたデータを適合させるための較正データ又は調査データ、場合によってはより大きい又は異なるユーザの母集団を表す前記メトリクス、及び観測データの前記処理又は前記決定されたメトリクスの導出を決定する規則又はパラメータからなる群から選択された少なくとも１つのデータ要素を、好ましくは前記通信インターフェースを介して、確立又は受信するように構成された、請求項１又は２に記載の装置。
【請求項４】
前記オフラインメディア配信プラットフォームが、テレビ、ラジオ、及び屋内コマーシャルなどのオーディオアナウンスからなる群から選択された少なくとも１つのプラットフォームを含む、請求項１から３のいずれか一項に記載の装置。
【請求項５】
前記オンラインプラットフォームが、スマートフォン、コンピュータ、タブレット、ファブレット、電子書籍リーダー、リストトップコンピュータ、ウェアラブルコンピュータ、スマートテレビ、デスクトップコンピュータ、及びラップトップコンピュータからなる群から選択された少なくとも１つのプラットフォームを含む、請求項１から４のいずれか一項に記載の装置。
【請求項６】
前記アナライザが、前記観測データ内に示された、前記コンテンツ、場合によっては、オンライン又はオフラインのメディアアイテムを分類又は識別するように構成される、請求項１から５のいずれか一項に記載の装置。
【請求項７】
前記アナライザが、前記観測データが音声を含むかどうかを判定する音声検出器、及び／又は受信された前記観測データに基づいて話し言葉を特定する音声認識器を備える、請求項１から６のいずれか一項に記載の装置。
【請求項８】
前記アナライザが、前記音声検出及び／又は認識結果に基づいて前記観測データ内に示された前記プラットフォーム又はメディアアイテムを識別又は分類するようにさらに構成される、請求項７に記載の装置。
【請求項９】
前記アナライザが、前記観測データ又はそれから導出されたデータを基準データと比較するように構成されたオーディオ又は画像照合器を備える、請求項１から８のいずれか一項に記載の装置。
【請求項１０】
前記アナライザが、前記データファイルによって決定され示された前記メトリクスにコンテキスト情報を加えるように構成され、前記コンテキスト情報が、動き又は移動、絶対位置、場合によっては自宅、自宅外又は職場を示すロケーションタイプ、１人でいること又は他の人と一緒にいることを示す社会的状況、及び時間を示す時間的状況からなる群から選択された、少なくとも１つのコンテキスト要素を含む、請求項１から９のいずれか一項に記載の装置。
【請求項１１】
マルチプラットフォーム使用セッションの前記分析が、前記観測データに基づいて前記使用セッションを決定するために、選択された時間区間関係、好ましくはアレンの区間の利用を含む、請求項１から１０のいずれか一項に記載の装置。
【請求項１２】
プラットフォームレベル（２０４）、場合によってはデバイスレベルの使用セッションが、前記観測データから推論されたコンテンツレベル（２０２）、場合によってはアプリケーションレベルの使用セッションに基づいて前記アナライザによって決定される、請求項１から１１のいずれか一項に記載の装置。
【請求項１３】
マルチプラットフォーム（２０６）、場合によってはマルチデバイスの使用セッションが、前記決定されたプラットフォームレベル（２０４）の使用セッションに基づいて前記アナライザによって決定される、請求項１２に記載の装置。
【請求項１４】
アナライザが、セッション長、セッション中のプラットフォーム切替えの数、デバイスセッション当たりのアプリケーションセッション、選択された時間ウィンドウ当たりのセッション、１日当たりのセッション、時間ウィンドウ当たりの対話時間、１日当たりの対話時間、プラットフォームの切替え当事者、プラットフォーム切替え方向、プラットフォームの重複、スマートフォン及びタブレットの同時使用、少なくとも２つの異なる技術プラットフォームの同時使用、オンラインプラットフォーム及びオフラインプラットフォームの同時使用、購入行動、並びにオフラインメディアとオンラインメディアとの間の切替えからなる群から選択された少なくとも１つの要素を記述するメトリクスを決定するように構成される、請求項１から１３のいずれか一項に記載の装置。
【請求項１５】
前記アナライザが、場合によっては時間的要因及び／又はコンテンツに関して、複数のプラットフォーム上のメディア露出間の因果関係又は相関関係を特定するように構成される、請求項１から１４のいずれか一項に記載の装置。
【請求項１６】
前記アナライザが、異なる技術的及び／又はメディア配信プラットフォームの前記使用間の因果関係又は相関関係を特定するように構成される、請求項１から１５のいずれか一項に記載の装置。
【請求項１７】
前記アナライザが、前記収集されたユーザレベルのクロスプラットフォーム観測データ又は関連する確立されたユーザレベルのメトリクスに基づいて、ユーザのより多くの母集団の行動を示し、好ましくは前記母集団の前記人口統計の指示を含む集約メトリクスを決定するように構成される、請求項１から１６のいずれか一項に記載の装置。
【請求項１８】
前記アナライザが、好ましくはプラットフォーム間の関連する、場合によっては指向性の遷移確率を示す、マルチプラットフォームセッション中のプラットフォームから別のプラットフォームへの切替えを記述するメトリクスを決定するように構成される、請求項１から１７のいずれか一項に記載の装置。
【請求項１９】
前記アナライザが、場合によっては実質的に同じ又は同様のコンテンツに関して、複数のプラットフォーム間の、好ましくはメディア露出を組み込む、前記使用の重複を記述するメトリクスを決定するように構成される、請求項１から１８のいずれか一項に記載の装置。
【請求項２０】
好ましくは前記通信インターフェースを介して出力される、前記メトリクスを含む前記データファイルに基づいて制御信号を決定するように構成され、前記制御信号が、場合によっては、アプリケーション、サービス、メディアキャンペーン、メディアファイルなどのコンテンツ、ウェブサイト、ウェブページ、又はメディアにアクセスするための電子デバイスのうちの１つ又はそれ以上の機能に適応するように設計される、請求項１から１９のいずれか一項に記載の装置。
【請求項２１】
前記通信インターフェース（３１０）又はそのユーザインターフェース（３０６）を介して前記データファイルを出力するように構成される、請求項１から２０のいずれか一項に記載の装置。
【請求項２２】
電子デバイス（１０４ａ〜１０４ｆ）、場合によってはスマートフォン又は他のポータブルユーザ端末であって、
−環境から周囲データを取り込むように構成された、好ましくはマイクロフォンを備える少なくとも１つのセンサ（１０８Ａ）と、
−好ましくはオンアインメディアを含む、前記デバイスを介して行われるメディア露出を備えるデバイス使用を示す選択されたイベントを観測し記録する使用量メーター（１０８、３０２、３０３、３０４）であって、前記使用量メーターが、好ましくはオーディオマッチング、音声検出、及び／又は音声認識を利用して、前記センサデータに基づいて、オフラインのラジオ又はテレビなどの１つ又はそれ以上の外部オフラインメディア配信プラットフォーム（１０４ｇ、１０４ｈ）上のメディアへのユーザの露出を観測し記録するようにさらに構成される、使用量メーター（１０８、３０２、３０３、３０４）と、
−作成され、記録された前記観測の前記指示を備える観測データを、通信接続を介してリモート装置に向けて送信するように構成された通信インターフェース（３１０）と
を備える、電子デバイス（１０４ａ〜１０４ｆ）。
【請求項２３】
１つ又はそれ以上の少なくとも機能的に接続されたデバイスを備える電子装置によって実行されるべき、シングルソースクロスプラットフォームメディア測定のための方法（７００）であって、
前記電子装置において、幾人かのユーザの複数の電子デバイス、好ましくは個人用デバイスを考慮して、且つ少なくとも部分的に決定された観測データを受信するステップ（７１４）であって、
前記幾人のうちの少なくとも１人のユーザが、前記複数のうちの複数のデバイスに関連付けられ、前記複数のデバイスが、メディア露出を提供するためのオンラインプラットフォームを含む互いに異なる技術プラットフォームに属し、前記複数のデバイスが、メディア露出を備えるデバイス使用を示す選択されたイベントを観測するために使用量メーターを備え、前記複数のデバイスのうちの少なくとも１つの前記使用量メーターが、１つ又はそれ以上の外部オフラインメディア配信プラットフォーム上のメディアへのユーザ露出を観測するようにさらに構成され、前記複数のデバイスのうちの少なくとも１つが、前記装置に向けて前記観測の指示を含む観測データを送信するように構成される、ステップ（７１４）と、
少なくとも１つの電子データベース内で、前記受信された観測データ、及びユーザを関連する電子デバイスとリンクするユーザプロファイルデータを記憶するステップ（７１６）と、
前記少なくとも１つのデータベースに機能的に接続され、その中の前記データに対して動作するように構成されたアナライザにより、複数のプラットフォーム上のメディア露出を含む前記少なくとも１つのユーザの行動を記述するメトリクスを組み込むユーザレベルのメディア露出メトリクスを示す少なくとも１つのデータファイル（７２０）を特定するステップ（７１８）であって、前記プラットフォームが、１つ又はそれ以上のオフラインプラットフォーム、及び２つ以上の同時又は順次に利用されるプラットフォームを含むマルチプラットフォーム使用セッションを備える、ステップ（７１８）と
を備える、方法（７００）。
【請求項２４】
電子ユーザデバイスによって実行されるべき、シングルソースクロスプラットフォームメディア分析装置に測定データを提供するための方法（７００）であって、
少なくとも１つのセンサにより、環境からの周囲データを取り込むステップ（７０８）と、
前記デバイスの使用量メーターにより、前記デバイスを介して行われるメディア露出を備えるデバイス使用を示す選択されたイベントを観測及び記録し（７１０）、さらに、前記センサデータに基づいて１つ又はそれ以上の外部オフラインメディア配信プラットフォーム上のメディアへのユーザ露出の指示を観測及び記録するステップと、
前記電子デバイスの通信インターフェースにより、通信接続を介してリモート装置に向けて前記記録されたデータを送信するステップ（７１２）と
を備える、方法（７００）。
【請求項２５】
コンピュータ上で実行されると、請求項２３又は２４に記載の方法項目を実行するよう適合されたコード手段を備える、コンピュータプログラム。
【請求項２６】
請求項２５に記載のコンピュータプログラムを備える、キャリア媒体。
【発明の詳細な説明】
【技術分野】
【０００１】
本発明は、概して、オフラインメディア、並びにデジタルデバイス、通信、関連アプリケーション、及びサービスに関連したメディア測定に関する。詳細には、排他的ではないが、本発明は、様々なメディアチャネルにわたってメディア露出及び関連する視聴者特性を測定するためのシングルソースクロスプラットフォームメディア測定ソリューションに関する。
【背景技術】
【０００２】
ウェブサイト又はウェブでアクセス可能なサービスなどのデジタルメディア及びインターネットサービスの進化は、現在かつてないほど速い。有線（例えば、インターネットに接続されたデスクトップコンピュータ及びスマートテレビ）とワイヤレスデバイス（例えば、タブレット、ファブレット、ラップトップ、及びスマートフォン）の両方は、人々がデジタルサービスにアクセスし、それに関与する方法をすでに変えており、結果として、関連ビジネスと技術の両方の状況は絶え間ない混乱に遭遇している。
【０００３】
メディア業界の主な利害関係者、並びにサービス開発者、アプリケーション開発者、及びデバイス製造業者の大多数は、既存のチャネル及び慣行に加えて、メディア業界で行われている進行中のシフト、及び人々が関連情報に晒され、それを消費し、それにアクセスする新興の新しい方法を理解する必要性を認識している。
【０００４】
モバイル端末及びタブレットなどの様々な電子デバイスは、デバイス自体を介して、そこで発生したか、又は検出可能なイベントを示し、使用されたサービス、実行されたアプリケーションなどを示すデータを記録し転送するために、ダウンロード可能で高度に自動化された、ユーザにとっていくらか透過的な（すなわち、自動的にバックグラウンドで動作し、その結果、明示的なユーザ入力／制御が必要でない）測定ソフトウェアを提供される場合がある。
【０００５】
しかしながら、複数のパラレルデジタル、例えば、メディアを配信するためのオンラインプラットフォームの可用性は、ＲＰＤ（戻り経路データ）を使用する、放送リニア（スケジュール）テレビ、ラジオ、並びにセットボックスベースのＭＶＰＤ（マルチチャネルビデオプログラミングディストリビュータ）（ライブ、ＤＶＲ、ＶＯＤなど）などのより伝統的な、例えばオフラインタイプのメディアが依然有する、全体的なメディア露出のかなりのシェアを忘れずにそれを消費するという対応する新しい習慣ももたらしている。「オンラインメディア」の場合、それは、実際には、通常、インターネットを介して配信されるメディアを指すのに対して、前述の「オフラインメディア」は、配信メディアとしてインターネットを利用しない、古典的なテレビ、ラジオ、及び活字メディアを指す、すなわち、このようにインターネット配信の観点から「オフライン」である。
【０００６】
ますます多くの今日の消費者が、例えば、スマートフォン、タブレット、及びスマートウォッチ、又は他の何らかのウェアラブルコンピュータを含むモバイルデバイスなどの複数のメディア対応デバイスを所有し、積極的に利用し、それらの時間的に並列使用及び順次使用の両方が十分実現可能になっている。スマートフォンなどのデバイスタイプ又はデバイスクラスのうちのいくつかは、さらなる識別要因として、例えば、基盤となるソフトウェアプラットフォーム、又はＡｎｄｒｏｉｄ（登録商標）若しくはｉＯＳ（登録商標）などのＯＳ（オペレーティングシステム）を使用して、より詳細に技術的にさらに調査されてもよい。
【０００７】
したがって、個々のセッションと一般的なメディア及びデバイスの使用の両方に関してメディア露出及び使用行動が進化している。以前は可能でなかったことだが、ユーザは今や、例えば、デスクトップコンピュータに固執する代わりに、今のデバイス（例えば、スマートフォン）から別のデバイス（例えば、タブレット）に特定の活動をシフトすることができるか、又は他のデバイスは全く新規の使用法を促すことができる。オンライン又はより一般的にスクリーンベース、すなわち「オンスクリーン」の対話に加えて、ラジオ又は新聞などのオフラインメディアチャネルも、同様に他のメディアと並行して又は順番に消費されてもよい。
【０００８】
それにもかかわらず、消費者の総メディア露出は、このように、複数の異なるメディアチャネルと、オンラインとオフラインの両方、オンスクリーン及びオフスクリーンの関連プラットフォームとの間で、それらのいくつかで同時露出、又は例えば交互露出をしばしば巻き込んで、分割される場合がある。デスクトップ／ラップトップコンピュータ若しくはよりポータブルなモバイル端末、又はウェアラブルデバイスさえも介してアクセスされる、従来のオフラインの無線又はケーブルベースのラジオ／テレビ及びオンラインメディアなどの、既存の多用途メディアプラットフォーム又はメディアチャネルが、一般に、様々なタイプの使用状況内で様々なタイプの視聴者に届くことができることはさらに明らかである。
【０００９】
クロスメディア測定における業界の関心に戻ると、例えば、アプリケーション開発者は、あるデバイスで開始し、別のデバイスで継続する活動の品質を向上させることに関心があり得る。加えて、モバイルデバイスベンダは、プラットフォームを介してモバイルデバイスの使用法の理解を容易にする手段を重視して、使用法における改善されたデバイス設計を提供する可能性がある。それでも、オフラインのメディアプロデューサー及びディストリビュータ、並びに様々な広告主を含むメディア業界一般は、様々なユーザグループ及びそれらのメディア使用の行動及び嗜好を考慮して、広告キャンペーン及び一般的にコンテンツ配信に関しての自分の努力を最適化するために、多数の同時に利用可能なメディアチャネルの領域における消費者行動を理解することに確かに熱心である。
【００１０】
今までのところ、公開されているメディア測定ソリューションのほとんどは、さらにしばしば、それらの統計的代表性を考慮して、比較的控えめなサンプル及び範囲を有する、テレビの使用監視又はモバイルアプリの使用測定などの特定のメディアプラットフォームのみを対象としている。
【００１１】
測定データを取得するための複数の異なるソースプラットフォームが利用されているとき、取られた手法は、通常、プラットフォーム監視に関して多かれ少なかれ分離されており、その結果、結果も、並行又は順番に、いくつかのデバイス上のメディアを適用するユーザの傾向のより包括的な追跡を欠いていた。
【００１２】
さらに、例えば、スマートフォン、タブレット、及びデスクトップ／ラップトップコンピュータに関するオンライン行動を考慮して、特定の重要なチャネル及びラジオなどのメディアプラットフォーム、並びに他の非スクリーンメディアの使用を範囲からさらに除外して、個々のユーザのクロスプラットフォーム行動を追跡することが可能ないくつかのマルチプラットフォーム又はクロスプラットフォームの研究が実行されている。そもそも研究の焦点が狭く、データが簡潔であるため、実施された分析も制限されている。分析用にソースデータを収集するために適用された技術は、例えば、関係するインタビュー対象者又はパネリストと研究を行う専門家の両方からの手動介入を必要とする日記及びインタビューを参照して、多くの時間と労力を要している。
【発明の概要】
【発明が解決しようとする課題】
【００１３】
既存の従来技術のタイプのメディア測定ソリューションに関する１つ又はそれ以上の欠点又は課題を少なくとも軽減することが本発明の目的である。
【課題を解決するための手段】
【００１４】
この目的は、本発明による、電子装置、電子デバイス、及び有線又はワイヤレスの端末デバイスなどの１つ又はそれ以上の電子デバイスによって実行されるべき方法の様々な実施形態によって達成される。
【００１５】
一実施形態によれば、場合によっては、シングルソースクロスプラットフォームメディア測定のための、いくつかの少なくとも機能的に接続されたサーバを備える電子装置は、
−幾人かのユーザの複数の電子デバイス、好ましくは個人用デバイスを考慮して、且つそこで少なくとも部分的に決定された観測データを受信するように構成された通信インターフェースであって、
前記幾人のうちの少なくとも１人のユーザが、好ましくは排他的に、前記複数のうちの複数のデバイスに関連付けられ、前記複数のデバイスが、メディア露出を提供するためのオンラインプラットフォーム、例えば、スマートフォン、タブレット、及び／又はデスクトップ若しくはラップトップコンピュータを含む互いに異なる技術プラットフォームに属し、複数のデバイスが、メディア露出を備えるデバイス使用を示す選択されたイベントを観測するために使用量メーターを備え、複数のデバイスのうちの少なくとも１つの使用量メーターが、オフラインのラジオ又はテレビなどの１つ又はそれ以上の外部オフラインメディア配信プラットフォーム上のメディアへのユーザ露出を観測するようにさらに構成され、複数のデバイスのうちの少なくとも１つが、装置に向けて観測の指示を備える観測データを送信するように構成される、通信インターフェースと、
−受信された観測データ及びユーザを関連する電子デバイスとリンクするユーザプロファイルデータを、場合によっては匿名で記憶するように構成された少なくとも１つの電子データベースと、
−前記データベースに機能的に接続され、その中のデータに対して動作して、複数のプラットフォーム上のメディア露出を含む少なくとも１つのユーザの行動を記述するメトリクスを組み込むユーザレベルのメディア露出メトリクスを示す少なくとも１つのデータファイルを特定するように構成されたアナライザであって、前記プラットフォームが、１つ又はそれ以上のオフラインプラットフォーム、及び２つ以上の同時又は順次に利用されるプラットフォームを含むマルチプラットフォーム使用セッション、すなわち「マルチセッション」を備える、アナライザと
を備える。
【００１６】
別の実施形態では、電子デバイス、場合によってはスマートフォン、タブレット、又はポータブル若しくはデスクトップタイプのコンピュータなどのオンライン端末デバイスは、
−環境から音声信号などの周囲データを取り込むように構成された、音声感知マイクロフォンなどの少なくとも１つのセンサと、
−デバイスを介して行われるメディア露出を備えるデバイス使用を示す選択されたイベントを観測し、例えば、少なくとも１つのログファイルに記録する使用量メーターであって、使用量メーターが、センサデータに基づいて、オフラインのラジオ又はテレビなどの１つ又はそれ以上の外部オフラインメディア配信プラットフォーム上のメディアへのユーザの露出を観測し記録するように構成される、使用量メーターと、
−作成され、記録された観測の指示を備える観測データを、通信接続、好ましくは有線又はワイヤレスのネットワーク接続、例えばインターネット接続を介して、リモート装置に向けて送信するように構成された通信インターフェースと
を備える。
【００１７】
ネットワーク接続サーバなどの、１つ又はそれ以上の少なくとも機能的に接続されたデバイスを備える電子装置によって実行されるべき、シングルソースクロスプラットフォームメディア測定のための方法の一実施形態は、
電子装置において、幾人かのユーザの複数の電子デバイス、好ましくは個人用デバイスを考慮して、且つそこで少なくとも部分的に決定されたログファイルなどの観測データを受信するステップであって、
前記幾人のうちの少なくとも１人のユーザが、好ましくは排他的に、前記複数のうちの複数のデバイスに関連付けられ、前記複数のデバイスが、メディア露出を提供するためのオンラインプラットフォーム、例えば、スマートフォン、タブレット、及び／又はデスクトップ若しくはラップトップコンピュータを含む互いに異なる技術プラットフォームに属し、複数のデバイスが、メディア露出を備えるデバイス使用を示す選択されたイベントを観測するために使用量メーターを備え、複数のデバイスのうちの少なくとも１つの使用量メーターが、オフラインのラジオ又はテレビなどの１つ又はそれ以上の外部オフラインメディア配信プラットフォーム上のメディアへのユーザ露出を観測するようにさらに構成され、複数のデバイスのうちの少なくとも１つが、装置に向けて観測の指示を備える観測データを送信するように構成される、ステップと、
少なくとも１つの電子データベース内で、受信された観測データ及びユーザを関連する電子デバイスとリンクするユーザプロファイルデータを、場合によっては匿名で記憶するステップと、
前記少なくとも１つのデータベースに機能的に接続され、その中のデータに対して動作するように構成されたアナライザにより、複数のプラットフォーム上のメディア露出を含む少なくとも１つのユーザの行動を記述するメトリクスを組み込むユーザレベルのメディア露出メトリクスを示す少なくとも１つのデータファイルを特定するステップであって、前記プラットフォームが、１つ又はそれ以上のオフラインプラットフォーム、及び２つ以上の同時又は順次に利用されるプラットフォームを含むマルチプラットフォーム使用セッションを備える、ステップと
を備える。
【００１８】
さらに、方法は、追加又は代替として、
電子デバイス、場合によってはスマートフォン、タブレット、又はポータブル若しくはデスクトップタイプのコンピュータなどの端末デバイスの音声感知マイクロフォンなどの少なくとも１つのセンサにより、デバイスの環境から周囲データを取り込むステップと、
電子デバイスの使用量メーターにより、デバイスを介して行われるメディア露出を備えるデバイス使用を示す選択されたイベントを観測及び記録し、さらに、例えば、場合によってはデバイスを介して行われる内部メディア露出の指示と共通の少なくとも１つのログファイル内で、センサデータに基づいて、オフラインのラジオ又はテレビなどの１つ又はそれ以上の外部オフラインメディア配信プラットフォーム上のメディアへのユーザ露出の指示を観測及び記録するステップと、
電子デバイスの通信インターフェースにより、通信接続、好ましくは有線又はワイヤレスのネットワーク接続、例えばインターネット接続を介して、リモート装置に向けて記録されたデータを送信するステップと
を備えてもよい。
【００１９】
方法の実施形態に関して本明細書に提示された様々な考察は、当業者によって諒解されるように、変更すべきところは変更して、装置及びデバイスの実施形態に柔軟に適用されてもよい。
【００２０】
本発明の有用性は、各々の特定の実施形態及びその使用シナリオに依存する。例えば、端末、又は一般的に電子デバイスベースの、ユーザ行動及びメディア露出を示す選択されたイベントの自動測定、例えば、合計数千又は数十万のメンバの包括的大規模ユーザパネルは、モバイル及び／又はデスクトップアプリケーションのユーザなどの電子デバイスユーザから迅速且つ便利に作成されてもよく、アプリケーションはオプトインタイプの観測ソフトウェア又はロジックとバンドルされてもよい。１つの実現可能な実装モデルとして、例えば、人口統計データ及び／又はデバイス所有権データなどの所望の個人データを取得するために初期調査を利用して具体的に募集された可能性がある、より厳密に制御された、通常より小さいユーザパネル（「スマートパネル」）又はパネリストのグループのデータは、かなりのサイズの統合パネルを少なくとも機能的に確立するために、利用され、場合によってはより大きくあまり制御されていないパネル又はパネリストグループ（「ブーストパネル」）のデータと選択的且つ巧妙に結合されてもよい。厳密に制御されたパネルのデータは、必要なときにより大きいパネルのデータを完成させるために利用されてもよい。
【００２１】
各ユーザは、装置内で、場合によっては様々なプラットフォーム（例えば、オンライン／オフラインタイプの分類、スマートフォン対タブレットなどのデバイスタイプに基づく分類、及び／又はＡｎｄｒｏｉｄ（登録商標）対ｉＯＳ（登録商標）などのオペレーティングシステムに基づく分類）を表す、複数の電子デバイスに関連付けられていてもよい。各デバイス、好ましくは列挙された少なくとも各オンラインデバイスは、装置に観測データを提供するために使用量メーターの一実施形態が備えられていてもよい。単一のデバイスはまた、いくつかのプラットフォーム（例えば、内部オンラインプラットフォーム及び外部オフラインプラットフォーム）上のデータを観測するように構成されてもよく、すなわち、様々なメディアプラットフォームは、単一のデバイスによる様々な観測技術を使用して監視されてもよい。
【００２２】
したがって、例えば、地上波ラジオ又はテレビの露出などの、オフラインメディアを示す外部信号も監視するために、オーディオマッチングを介して測定電子デバイスが利用されてもよいので、測定は、オンラインとオフラインの両方のメディアを組み込むシングルソースクロスプラットフォーム（マルチプラットフォーム）方式で行われてもよい。オーディオマッチングでは、周囲音声データは、電子デバイスにおいて、場合によっては適応サンプリング周波数及び／又はビット深度で最初にサンプリングされてもよい。次いで、周囲音声データは、本明細書に記載された装置などの電子デバイス又はリモートシステムにおいて、どのコンテンツタイプ及び／又はどの特定のコンテンツアイテムにユーザが露出されたかを判断するために、異なるコンテンツを特徴付ける利用可能な基準データと照合されてもよい。
【００２３】
より詳細には、測定は、デスクトップコンピュータ、ラップトップ／ノートブック、スマートフォン、タブレット、ファブレット、ウェアラブルデバイス、自動車エレクトロニクス、電子書籍リーダー、テレビ、ラジオ、及び活字メディアさえも含む、クロスプラットフォームデータをカバーすることができる。監視されているプラットフォームのうちのいくつかは、「マルチプラットフォーム」に加えてマルチスクリーン監視が十分に実現可能になるように、ディスプレイスクリーンを通常含んでもよく、含むであろう。活字メディアへの露出は、オンライン又は一般的にオンスクリーン使用などのそのデジタル投影の使用を介して、且つ／又は、例えば、従来の活字メディアの使用若しくは露出を示すカメラデータなどのセンサの分析によって観測されてもよい。
【００２４】
例えば、テレビ及びラジオのメディア露出上のオフラインデータは、場合によっては位置データ、（例えば、加速度計又は他のセンサ信号、スクリーンステータスなどの選択された基準に基づいて、ユーザが目覚めているか又は存在するかを示す）活動データ、モバイル／オンライン行動データなどを含む、観測しているデジタル電子デバイスから収集された内部データと結合されてもよい。複数のデータストリーム（デジタルデバイス内からのデータ、取り込まれたオーディオデータなど）は、シングルソース方式で任意のメディア伝達手段との消費者のメディアの関与を記述するログファイルに結合されてもよい。したがって、データベクトルなどのデータキャリアは、オフライン及び／又はデバイス内の電子コンテンツへのユーザ露出を表すために確立されてもよい。デジタルオンラインメディア及び非デジタルオフラインメディアのコンテンツへのユーザ露出を記述する多数のメトリクスが確立されてもよい。
【００２５】
クロスプラットフォームの使用を示す選択されたメトリクス、並びに、例えば、プラットフォーム間の関連切替え、並列／同時使用、例えば、プラットフォーム自体に基づく切替え傾向、メディアコンテンツ、ユーザ特性、時間的要因（例えば、時刻、週、年）、及び／又は地理的、若しくは一般的に場所、要因が確立されてもよい。さらに、ユーザは、人口統計、スマートフォンの行動、タブレットの行動、電子書籍の行動、及びテレビ／ラジオの行動（ネットワーク／チャネル、ショー又は映画などのプログラム、広告）などのプラットフォーム固有の行動、コンピュータの行動（デスクトップ／ラップトップ）、並びに／又は購入行動に関して分析されてもよい。
【００２６】
様々なメディアプラットフォームの検出された並列使用、順次使用、及び分離使用、並びに関連するメディア露出は、オンライン活動又は購入行動などのユーザの活動間の因果関係又は相関関係を理解する際の重要な要因である。
【００２７】
さらに、電子ユーザデバイスから収集されたデータに対して実行される分析タスクを考慮して、本発明は、任意のコンテンツとの各ユーザの関与を識別し、彼／彼女の活動レベルを測定し、例えば、家庭使用と家庭外使用との間を区別する情報、すなわち、場所又は他の状況関連情報で、トランザクションなどの観測されたイベントを基本的にタグ付けすることを可能にする。例えば、複数のプラットフォーム上の複数のメディア活動内の関与を含むマルチタスキングセッションは、セカンドスクリーンでの使用、並びにテレビ／ラジオ及びモバイル／コンピュータプラットフォームなどのオフラインプラットフォームとオンラインプラットフォームとの間の対話の上に成り立っている分析論と同じようにうまく分析されてもよい。他のメディアチャネルと共に、又は一緒に、任意のメディア伝達手段又はプラットフォームの増大する影響は、消費者及び一般的にユーザ行動、例えば、広告のリコール又はクリックを促進する際に識別されてもよい。
【００２８】
確立されたシングルソースのデータベース及びメトリクスにより、例えば、メディア会社又は他の関係者が、個人として、まだ匿名化されたレベルで、誰が聴いているか視ているか、誰がそうでないか、すなわち、自社の広告又は他のコンテンツへの関心の範囲、及び例えばレベル、並びに誰が自社の製品を購入しているか／購入していないかなどを理解することが可能になる。分析結果は、メディア配信（例えば、クロスプラットフォームキャンペーン又は一般的にメディアターゲティング）の様々な局面、及び本明細書で前述されたようなデバイス又はアプリケーションの設計を最適化する制御動作を示すいくつかの制御信号に変換されてもよい。より一般的に言えば、提案されたソリューションにより、テレビ広告及び宣伝などのメディアへのユーザの露出を、購買行動又は一般的に消費行動などのユーザの行動とリンクすることが可能になる。したがって、関連する最適化タスクは、当業者によって理解されるように容易にされる。また、選択された地域内に住み、且つ／又は何らかの共通の人口統計若しくは特性に基づくユーザの所有権を有する、家族又は一般的にユーザなどの人々のグループを含む様々なコミュニティは、本発明を介してその個々のユーザに基づいて監視されてもよい。同じグループ又は「機関」に属するユーザのデータに対して集約分析が行われてもよく、その結果、メディア配信又はデバイス設計の潜在的な最適化は、個人のデータに加えて又はその代わりに機関データを利用することもできる。
【００２９】
本発明の実施形態のさらなる利点は、以下の発明を実施するための形態に基づいて、当業者には明らかになるであろう。
【００３０】
「いくつかの」という表現は、本明細書では、１から始まる任意の正の整数、例えば、１、２、又は３を指してもよい。
【００３１】
「複数の」という表現は、それぞれ、２から始まる任意の正の整数を指してもよい。
【００３２】
「第１の」及び「第２の」という用語は、特に明記されない限り、本明細書では、いかなる特定の順序又は重要性を意味するものではなく、むしろ、これらの用語はある要素を別の要素から区別するために使用される。
【００３３】
「パネル」という表現は、本明細書では、特定の意図的に募集された電子デバイスのユーザ（又はデバイス自体）のサンプル、すなわち、デバイスに関連して行われるメディア使用などの所望の局面に関するデータを提供する「パネリスト」を指してもよい。追加又は代替として、「パネル」は、基本的に任意の他の適用可能なユーザ／デバイスのサンプルを指すことができ、すなわち、必ずしも、計測の局面を考慮してデータを提供するように適合された、前述の具体的にセットアップされた専用パネリストの特殊パネルを指さない。例えば、関連すると考えられる選択されたデータを取り込むことができる実現可能な計測ソフトウェアをアプリが提供されているとき、アプリストアからダウンロードされた１つ又はそれ以上のアプリの複数のエンドユーザは、そのようなパネルの少なくとも一部を構成することができる。
【００３４】
本発明の様々な実施形態は、添付の従属請求項に開示されている。
【００３５】
本発明のいくつかの実施形態は、図面を参照して以下でさらに詳細に記載される。
【図面の簡単な説明】
【００３６】
【図１】潜在的な使用シナリオに関連して本発明による装置及び電子デバイスのいくつかの実施形態を示す図である。
【図２】本発明の一実施形態による本発明のマルチセッション分析態様などのセッションを描写する図である。
【図３】装置の一実施形態の内部を表すブロック図である。
【図４】本発明の一実施形態によるクロスプラットフォーム監視ソリューションが、分析のために検出し記録することが可能な様々なイベントを示す図である。
【図５】提案されたシングルソース測定手段の概念、並びにデバイス及びメディアの使用を含むユーザの行動への洞察を提供するための関連態様を示す図である。
【図６】その実施形態に従って利用される測定方法のインフォグラフィックを示す図である。
【図７】本発明による方法の一実施形態を開示する流れ図である。
【発明を実施するための形態】
【００３７】
様々な実施形態では、使用量メーターを備えた複数のデバイスのうちの１つ又はそれ以上は、オンラインデバイス、すなわち、インターネットを介して装置に機能的に接続可能であってもよい。いくつかの実施形態では、少なくとも限られた計測機能を含む少なくとも１つのデバイスは、例えば、Ｂｌｕｅｔｏｏｔｈ（登録商標）又はワイヤレスＬＡＮ（ＷＬＡＮ）などの短距離ワイヤレス接続を介して、データを転送するために必要なネットワーク接続を有する他のデバイスに機能的に接続されてもよい。他のデバイスも、インストールされ、使用されている計測機能を有することができる。他のデバイスは、場合によっては、ローカルに取得されたデータ及び外部デバイスからのデータを処理及び／又は結合することができる。
【００３８】
様々な実施形態では、使用量メーターを備える電子デバイス内で行われ記録され得る観測は、アプリケーション、ネイティブアプリケーション、ウェブアプリケーション、サービス、ウェブ、ウェブサイト、ウェブページ、インターネット、ネットワーク、デバイス機能、端末機能、アプリケーション機能、サービス機能、メディア又は一般的にコンテンツアイテム、ファイル、メディアストリーミング、電話使用、通話（例えば、音声又はビデオ）、メッセージ、時間、場所、オペレーティングシステム、購入又は他の金融取引、データ転送、及びＨＴＴＰ（ハイパーテキスト転送プロトコル）又はＨＴＴＰデータ転送からなる群から選択された、少なくとも１つの要素の使用を示す。時間などの様々な前述の要素は、例えば、時間の表現のような時計型スカラー及びより多くの測定値、又は、例えば、「時刻」タイプのより相関的な表現（朝、昼、午後、夕方、夜など）を考慮して、様々な解像度又はコンテキスト上の意味を有する様々な方法で示されてもよい。
【００３９】
様々な実施形態では、使用量メーターは、画像又はビデオの受信用のオーディオ変換器及び／又はカメラ（画像センサ）などの少なくとも１つのセンサを備えるか、又はそれに少なくとも機能的に接続されてもよい。オーディオ変換器は、通常、例えば、ラジオ、テレビ、又は、可能な情報告知に加えて、例えば、オーディオコマーシャルが聞こえるように再生され得る屋内若しくは屋外のある場所、例えば、モール又は交通ノードの音響再生システムなどの近くの音源から発生する周辺音声を取り込む音声マイクロフォンを含む。さらに、例えば、電子看板スクリーンからの画像／ビデオデータが取り込まれてもよい。デジタル化されたオーディオ信号などの取り込まれたセンサ信号は、次いで、関連するユーザ活動及び／又はメディア露出を特徴付けるために分析を受けてもよい。分析は、デバイスによって提供されたデータに基づいて、取込みデバイスにおいて、且つ／又は装置によって実行されてもよい。
【００４０】
例えば、ラジオ又はテレビなどの関連メディア配信プラットフォームのタイプは、一般に、信号に基づいて検出されてもよい。さらに、実際のメディア、又は一般的に、コマーシャル、番組（例えば、「モーニングニュース」）、関連するチャネル若しくはネットワーク（例えば、「チャネル５」若しくは「ＭＴＶ」）などのコンテンツアイテムは、識別されるか、又は少なくとも分類（例えば、娯楽、天気、ドキュメンタリーなど）されてもよい。検出、分類、及び／又は識別の目的のために、認識アルゴリズム、場合によってはマッチングアルゴリズムが実行されてもよい。デジタル音声信号又はそれから導出された代表的なデータに関しては、例えば、オーディオマッチングが実行されてもよい。ビデオ又は画像データの場合、画像ベースのマッチングを実行することができる。組み合わされたマッチングアルゴリズムを使用して、いくつかのメディアフォーマットを一括して照合することもできる。
【００４１】
メディアプラットフォーム／チャネル、含まれる番組チャネル／ネットワーク、番組、コマーシャル、他のコンテンツアイテムなどの様々なメディアエンティティを特徴付ける、基準データ又は「指紋」を含む基準ライブラリが確立され、手順において利用されてもよい。基準ライブラリ用のデータ又はライブラリ自体の少なくとも一部は、テレビ局、ラジオ局などの様々なメディアソース、レコードレーベルなどのコンテンツ制作者、又は制作会社などから受け取ってもよい。
【００４２】
追加又は代替として、選択された音声検出器及び／若しくは音声認識ユニット、又はアルゴリズムは、前者、及び／又はテキストなどの音声コンテンツ関連データ、及び／又は後者のタイプのユニット若しくはアルゴリズムを参照して認識された音声から特定された意味情報を参照して、信号から音声タイプのデータの存在を抽出するように構成されてもよい。
【００４３】
観測データを提供することに利用され得るセンサの他の例には、画像センサ又は「カメラ」、加速度計又は他の慣性センサ、光センサ、温度センサ、圧力センサ、水分センサ、位置センサ、及びタッチセンサが含まれる。
【００４４】
いくつかの実施形態では、マッチングに基づいて上述されたものなどの認識アルゴリズムは、電子デバイスのディスプレイ上に示された画像データを分析して、関連コンテンツを識別するように構成されてもよい。認識手順の結果は、次いで、電子デバイスによって提供されたデジタル画像に基づいて記録され、その中で直接実行されない場合、装置に通知されてもよい。
【００４５】
様々な実施形態では、観測の指示は、観測データ自体、例えば、ネットワークイベント詳細、ユーザ入力詳細、アプリケーション詳細、メディアファイル詳細、及びセンサデータ、並びに／或いは、例えば、フィルタリング、集約、分析（例えば、特徴の抽出若しくは分類）及び／又は圧縮を組み込む、データ処理又は処理タスクを介してそこから処理されるなどの、抽出又は導出されたデータを組み込んでもよい。データベクトルは、観測中の電子デバイス内で、且つ／又は、その後、例えば、予備の記憶スペース及び／若しくは伝送帯域幅に対して装置により、すでに確立されていてもよい。追加又は代替として、観測データは、関連する利用可能なコンテキストデータ、又は時間若しくは位置情報などのメタデータとリンクされるか、又はそれで補強されていてもよい。
【００４６】
様々な実施形態では、電子デバイス又は装置などのネットワークエンティティによって受信又は特定された位置データ（例えば、モバイル若しくはコンピュータネットワークベースの測位データ又はＧＰＳ測位データなどの衛星ベースの測位データ）などのコンテキストデータは、メトリクスにコンテキスト情報を追加するために利用されてもよい。データによって示される報告された位置は、例えば、座標又は他の測位データをコンテキスト上の位置とリンクするマッピングデータを使用することにより、移動情報及び／又はコンテキスト上の位置情報（例えば、特定のバー又は他の公共の場所、自宅／自宅外など）などの他の情報に変換されるか、又は一般的にそれを特定する際に利用されてもよい。そのようなマッピングデータは、企業、公共の場所などのコンテキスト上のエンティティを、例えば、物理的な場所に関連付ける、例えば、デジタルアドレス帳又は他のアドレスデータに基づいて確立されてもよい。
【００４７】
様々な実施形態では、アレンの区間代数のすべて又は選択されたアレンの時間区間関係は、観測データに基づいてマルチデバイス及び一般的にマルチプラットフォームの使用を特定及び検査する際に利用されてもよい。スマートフォンで行われるアプリケーション使用セッション、又は地上波ラジオ番組などのオフラインメディアへの露出などの、電子デバイスに関連付けられた使用セッションは、それぞれ、明確な開始時間及び終了時間を有するアプリケーションの使用又はラジオ放送への露出の時間期間として定義されてもよく、これは、アレンの有限時間区間の概念によくマッピングする。
【００４８】
デバイス上のいくつかの順次アプリケーション、又は一般的にメディア、コンテンツ、及び／若しくは他の監視された使用セッションは、単一デバイスの使用セッションにグループ化されてもよい。したがって、関係を利用することにより、１つ又はそれ以上のデバイスの使用セッション間の時間関係が正式に形式化されてもよい。
【００４９】
様々な実施形態では、アナライザは、例えば、統計的比較の観点から互いに類似する、オフラインメディア配信プラットフォーム（例えば、地上波、ケーブル若しくは衛星のラジオ若しくはテレビ）並びに／又は使用量メーターのインスタンスを備える電子デバイスの基礎となる様々な（オンライン）技術プラットフォーム（例えば、タブレット、スマートフォン、デスクトップコンピュータ、ラップトップコンピュータ、ウェアラブルデバイス、及び／若しくはゲーム機）などの複数の異なるプラットフォーム上のユーザレベルのメトリクスを確立するように構成されてもよい。
【００５０】
様々な実施形態では、アナライザは、例えば、前記少なくとも１つのデータファイル内で、又は分析中に少なくとも一時的に、それの中で又はそれを介してユーザが露出されたデバイスとメディアイベントをリンクするように構成されてもよい。したがって、アプリケーション、ウェブページ、広告、又はオーディオ／ビデオファイルなどの、メディアイベントに関連付けられたコンテンツアイテムは、問題の特定の関連デバイスに帰属されてもよい。
【００５１】
様々な実施形態では、アナライザによって特定されたデータファイルは、ユーザレベルデータの上に、より一般的なメトリクスなどの抽象を含んでもよい。例えば、様々なプラットフォーム（例えば、スマートフォン／モバイル端末、タブレット、コンピュータ）上のメディア消費の使用間の重複が特定されてもよい。いくつかのプラットフォームの使用の重複は、一時的に、且つ／又はコンテンツ若しくはメディア露出を考慮して調査されてもよい。因果関係を説明するメトリクスが特定されてもよい。例えば、特定のプラットフォーム上の特定のアプリケーション又はサービス（例えば、Ｆａｃｅｂｏｏｋ（登録商標））の使用と、オフラインメディア配信プラットフォーム（例えば、テレビ又はラジオ）などの他の何らかのプラットフォーム上の同じ若しくは同様、異なる、又は単に一般的にメディアの使用又はメディアへ露出との間の関係が特定されてもよい。さらなる例として、（例えば、テレビ広告を考慮した）オフラインプラットフォームなどの１つのプラットフォーム上の好ましくは少なくともメディア露出を組み込むデバイス使用と、異なる、例えば、（Ｔｗｉｔｔｅｒ（登録商標）などの）オンラインプラットフォームの使用との関係を特定することができる。
【００５２】
様々な実施形態では、データファイル又は含まれるメトリクスの少なくとも一部分は、いくつかの制御信号を決定するために利用されてもよい。制御信号は、電子デバイス又はオフラインメディア配信プラットフォームを介してアクセス、使用、及び／若しくは消費されるか、又はそうなる予定のアプリケーション、サービス、又は関連メディアアイテムなどのコンテンツを適合させるために使用されてもよい。追加又は代替として、例えば、広告の放送時間などのコンテンツのタイミングは、制御信号に応答して最適化又は選択されてもよい。さらに、コンテンツのプラットフォーム（例えば、Ａｎｄｒｏｉｄ（登録商標）、ｉＯＳ（登録商標）、若しくはＷｉｎｄｏｗｓ（登録商標）などのオンラインプラットフォーム、又はラジオ若しくはテレビなどのオフラインメディア配信プラットフォーム）は、制御信号に応答して選択されてもよい。
【００５３】
好ましくは選択された専用又は標準のフォーマット（例えば、データベース又はアプリケーションフォーマット）に従うデータの集合を指すデータファイルは、データ通信インターフェースを介して装置から出力され得る成果物を表す。装置は、ローカル及び／又はリモートのＵＩ（ユーザインターフェース）を備えてもよい。リモートＵＩは、例えば、リモート端末内でアクセスされるブラウザで使用するためのウェブ（インターネット）ベースのグラフィカルＵＩを組み込むことができる。データファイル内のデータの少なくとも一部は、ＵＩを介して視覚的に表されてもよい。装置は、場合によっては、目的に応じてウェブサーバをホストすることができるか、又は外部のウェブサーバが使用されてもよい。
【００５４】
図１は、１００において、本発明による装置１１４の実施形態を含み、本発明による電子デバイスのいくつかの実施形態１０４ａ、１０４ｂ、１０４ｃ、１０４ｄ、１０４ｅ、１０４ｆも含む、１つの単なる例示的な使用シナリオを示す。デバイス１０４ｇ（テレビ）及び１０４ｈ（ラジオ）は、好ましくはオンラインタイプの電子デバイス１０４ａ〜１０４ｆの使用量メーターによって出力される、メディアに関して依然として観測され得る外部の「オフライン」タイプのメディア配信プラットフォームの例である。デバイスは、一般に、例えば、特定のブランド、モデル、及び、メディアアクセス又は再生機能を含むデバイス特性を有する物理デバイスを指す。
【００５５】
単一のユーザ１０２ａ、１０２ｂ、１０２ｃは、メディア出力の観点から、所有、使用、アクセス、露出されてもよく、１つ又はいくつかのオンライン及び／又はオフラインのデバイスに関連付けられてもよい。そのようなデバイス、好ましくは少なくとも電子デバイス１０４ａ〜１０４ｆのうちの１つ又はそれ以上は、個人用であるか、又は少なくとも個人用、すなわち、少なくとも主に所有者のみなどのただ１人によって使用されるか、且つ／又は例えば、認証又は認証情報などのログインデータに基づいて現在のユーザの識別を可能にすると考えられてもよい。したがって、取得された使用又は露出のデータは、その特定の単一のユーザのみに関連する可能性が高いので、特定されたクロスプラットフォームメトリクスも、シングルソースのユーザレベルの分析目的の観点から有効である。
【００５６】
ユーザ１０２ａ、１０２ｂ、１０２ｃは、一般に、パネルの採用ポリシー、及び、例えば関連する人口統計学的目標に応じて、総人口のうち少なくとも一定の割合を代表する。
【００５７】
ネットワーク１１０は、端末１０４ａ〜１０４ｆ、及びサーバ装置１１４が互いに通信することを可能にする、インターネット、ローカルエリアネットワーク、ワイドエリアネットワーク、セルラーネットワークなどの、１つ又はそれ以上の通信ネットワークを指してもよい。
【００５８】
装置１１４は、サーバなどの１つ又はそれ以上の電子デバイス、並びにいくつかのルータ、スイッチ、ゲートウェイ、及び／又は他のネットワーク機器などの潜在的な補助装置によって実装されてもよい。最小のケースでは、サーバ装置などの単一デバイスが方法の様々な実施形態を実行することが可能であり、したがって、装置１１４も構成することができる。装置１１４のデバイスの少なくとも一部は、クラウドコンピューティング環境に存在し、そこから動的に割振り可能であってもよい。
【００５９】
デバイス１０４ａ、１０４ｂ、１０４ｄ、１０４ｆは、例えば、タブレット、ファブレット、スマートフォン、携帯電話などのモバイル端末、ラップトップコンピュータ、又はデスクトップコンピュータを指してもよいが、それらに限定されない。ユーザ（パネリスト）１０２ａ、１０２ｂ、１０２ｃは、モバイルデバイス１０４ａ、１０４ｂ、１０４ｆを一緒に持ち運ぶことができるが、基本的にしっかりと設置されていない場合、より重い又はより大型のデバイス１０４ｃ、１０４ｅは、しばしばむしろ静止したままである。各デバイスは、有線及び／又はワイヤレスのネットワーク接続をサポートすることができる。例えば、有線イーサネット（登録商標）又は一般的にＬＡＮ（ローカルエリアネットワーク）インターフェースは、少なくともいくつかのデバイス１０４ｃ（スマートテレビ）、１０４ｅ（デスクトップコンピュータ）に設けられてもよく、残りのデバイス１０４ａ（タブレット）、１０４ｂ（スマートフォン／携帯電話）、１０４ｆ（例えば、ファブレット、電子書籍リーダー、又はウェアラブルデバイス）は、少なくともセルラー又はワイヤレスＬＡＮの接続を優位にサポートすることができる。
【００６０】
例えば、デバイスの構成可能性、並びに観測ロジック実行ソフトウェアをインストール及び実行する能力及び容量に依存する、オンラインデバイス１０４ａ〜１０４ｆのうちの１つ又はそれ以上、潜在的にそれらのすべては、実際には、使用量メーター、或いはネットワーク接続を介して、又はメモリカード若しくは光ディスクなどの物理キャリア媒体上のコンピュータ（処理デバイス）実行可能ソフトウェアアプリケーションの形態の「計測」ロジック１０８を備えてもよい。ソフトウェアは、場合によっては、他のソフトウェアとバンドルされてもよい。ユーザは、例えば、メーターを設置し、したがってパネリストとして測定調査に参加するように選択することができる。ロジックは、そこで発生した選択されたイベントに関するデータを記録するように構成される。データは、例えば、所望のメディア測定に照らして、処理、分析、及び／又は記憶のために、装置１１４にバッチで送信されてもよい。送信は、実質的にデータの収集の直後に、且つ／又は他の事前定義されたトリガに基づいて、時間調整されてもよい。
【００６１】
いくつかの実施形態では、取得されたデータは、端末１０４ａ、１０４ｂ、１０４ｃ、１０４ｄ、１０４ｅ、１０４ｆですでに少なくともいくつかの分析を受けていてもよい。例えば、そこからいくつかの特徴的なベクトルが決定されてもよい。ベクトルは記憶され、装置１１４に転送されてもよい。
好ましくは、メーター１０８は、いかなるユーザアクションもその実行に必要ではないようにバックグラウンドで動作し、ロジックは、実際には、ユーザに対して完全に透過的であってもよい（例えば、デフォルトではユーザに視覚的にでも示されない）。
【００６２】
さらに、いくつかの実施形態では、いくつかの外部システム１１６が装置１１４にデータを提供することができる。例えば、サードパーティアプリ開発者のシステム１１６によって配信されるサードパーティアプリは、パネル研究に有用な測定データを収集する計測ソフトウェア（観測ロジック）を用いて構成されてもよい。データは、場合によっては開発者のシステム１１６を介して、アプリから装置１１４に提供されてもよい。
【００６３】
サーバ装置１１４は、電子デバイス１０４ａ〜１０４ｆから取得されたデータ、外部システム１１６からのデータなどのデータを記憶するように構成された、１つ又はそれ以上のデータベースなどのデータリポジトリ１１２を備えるか、又は少なくとも機能的にそれに接続される。
【００６４】
装置１１４は、いくつかのクライアントシステム１１１に配信されるべき、メディアカバレージ若しくはリーチ統計、行動メトリクス、制御信号、又はクロスプラットフォームメディア露出メトリクスなどの、いくつかの選択された、例えば、クライアント選択の成果物を決定するように構成される。好ましい測定方法はシングルソースマルチプラットフォームタイプであるため、特定されたメトリクスは、様々なプラットフォームが単独で測定されるソリューションとは対照的に、個々のユーザのプラットフォーム間の使用及び露出特性も取り込むという意味で、実際にはユーザレベルであり得る。
【００６５】
装置１１４は、分析、分類、検証、データ帰因、及び／又は報告のモジュールなどのいくつかの異なる機能モジュール１１３を備える。検証モジュールは、パネルデータ収集及び養成プロセスの１つ又はそれ以上の段階における様々な有効性分析／フィルタリングタスク、例えば、報告期間を考慮してパネリストの初期グループを決定する活動検証、及び、それらのデータ信頼性又は確率に基づいてパネリストをフィルタリングするその後の有効性分析／品質保証動作を実行するように構成されてもよい。
【００６６】
電子デバイス１０４ａ〜１０４ｆのうちのいくつかは、本明細書で前述されたように、例えば、周辺オーディオ分析を使用して、外部オフラインメディア１０４ｇ、１０４ｈを監視するように構成されてもよい。デバイス１０４ａ〜１０４ｆは、いくつかのセンサ１０８Ａ、例えば、環境に関するデータを収集するための、例えば、マイクロフォンを含んでもよい。関連する外部イベントの観測及び記録、又は外部（オフライン）メディア１０４ｇ、１０４ｈへのユーザ露出は、例えば、デバイス自体の内部で発生し、且つ／又は、データ転送若しくはユーザ活動を介して少なくともそれに関連する内部イベントを観測することに加えて行われてもよい。
【００６７】
電子デバイス１０４ａ〜１０４ｆのうちのいくつかは、別のオンラインタイプのデバイス１０４ａ〜１０４ｆのデータを記録するように構成されてもよく、又は、例えば、ロギングデバイスとワイヤレス又は有線で通信するいわゆるアクセサリデバイスであってもよい。アクセサリデバイスは、例えば、ヘッドセット、他のウェアラブルアクセサリ（例えば、リストトップデバイス）、又はマイクロフォンを参照して選択された使用又は露出のデータを観測することが可能なセンサ、及びＡ／Ｄ変換器を含む関連回路を含んでもよい。
【００６８】
電子デバイス１０４ａ〜１０４ｆのうちのいくつかは、オンラインメディア（例えば、ウェブサイト又はウェブページ）及びオフラインメディア（例えば、放送用地上波リニアラジオ、テレビ）などの、複数の異なる技術のメディア配信プラットフォームを潜在的に本来サポートするように構成されていてもよい。デバイスは、例えば、そのようなプラットフォーム向けの専用のトランシーバ又はレシーバを含んでもよい。したがって、特定の基本的な技術プラットフォーム又はデバイスクラスの各々のそのようなデバイス（例えば、タブレット、潜在的に特定のＡｎｄｒｏｉｄ（登録商標）又はｉＯＳ（登録商標）駆動タブレット）は、複数のメディア配信プラットフォーム上のデバイス使用、具体的にメディア露出を示すイベントを検出及び記録することができる。
【００６９】
データ処理及び関連する抽象化手順を介して、装置１１４は、様々なメディア配信チャネル（様々なオンライン及びオフラインのプラットフォーム）などの複数の根本的に異なるプラットフォーム、及び相互に類似するメディアコンテンツを受信又はアクセスすることが依然として可能であり得る様々な端末技術又はクラス（スマートフォン、タブレット、デスクトップコンピュータ、ラップトップ、ウェアラブルコンピュータなど）に対するユーザ行動に関する同様のユーザレベルメトリクスを作成するように構成される。様々なプラットフォームは、例えば、テレビメディア露出に対する音声マッチング対モバイル上の（ネイティブ）アプリ使用追跡対デスクトップコンピュータ／「ＰＣ」、すなわちパーソナルコンピュータ上のＨＴＴＰトラフィック追跡を参照して、様々なタイプの測定手法で測定されてもよい。
【００７０】
収集されたユーザレベルのメディア露出データの上に構築されたマルチセッションメトリクスス及び抽象化を用いて、同時使用、順次使用、及び関連する切替えなどの、デバイス間及びプラットフォーム間の使用における因果関係及び相関関係は、例えば、選択されたメトリクスを介して検出及び分析されてもよい。１つのメディア消費と他のメディア消費との間の重複が特定されてもよい。因果関係が、例えば、どれだけの人々がテレビを視るかに影響を与えるＦａｃｅｂｏｏｋ（登録商標）のモバイル使用であるか、又はＴｗｉｔｔｅｒ（登録商標）上でどれだけの人々が通信するかを促進するテレビ広告であることを説明するメトリクスが検出され、その後、デバイス、アプリケーション、及び／又はメディアキャンペーンの設計において潜在的に利用されてもよい。
【００７１】
それでも、観測する電子デバイスのマルチデバイスフレームワーク、及びデバイス活動に関する情報を用いて確立されたデータ集約及び分析構成を用いて、特定のデバイスへの任意の検出されたオーディオ／ビデオ又は一般的にメディア又はコンテンツ露出イベントの帰属は、いくつかの選択された規則を利用して実行されてもよい。したがって、例えば、テレビ番組を示す特定のコンテンツに対するヒットを検査するとき、それは、例えば、モバイルデバイス、リニアテレビ、ＶＣＲ（タイムシフトコンテンツ）、又は例えば、デスクトップ若しくはラップトップコンピュータに帰属することができる。
【００７２】
位置データなどのコンテキストデータは、選択されたメディア消費メトリクスにコンテキスト理解を追加するために利用されてもよい。やはり、様々な関連する相関関係及び因果関係が調査され、検出されてもよい。例えば、ユーザが自分のモバイル上でストリーミング音楽を消費しているときにユーザが一般的に移動中であるかどうか、又はユーザがバー（自宅外）対自宅でテレビを視ているかどうかが判定されてもよい。
【００７３】
較正データの範囲及び可用性などのサンプルの特性に応じて、装置１１４での観測データに基づいて導出されたメトリクスなどの取得された結果は、より大きい母集団、例えば、特定の地域、州、国、又はさもなければ電子デバイス、メディアなどのより幅広いユーザベースをカバー又は記述するように計算上拡大解釈されてもよい。
【００７４】
いくつかの実施形態では、ユーザ１０２ａ、１０２ｂ、１０２ｃは、デバイス１０４ａ〜１０４ｈ及び装置１１４を含む提案された測定システムの観点から、様々なユーザグループ又はパネルに割り振られてもよい。本明細書で前述されたように、例えば、第１のユーザグループの通常より小さい「スマート」パネルと、第２のユーザグループのより緩やかに構成されているが潜在的にかなり大きい「ブースト」パネルとを含む、より厳密に制御され、したがってより完全及び／又はより検証されたデータが確立されていてもよい。
【００７５】
ブーストパネリストの不完全な、欠けている、又は不良のデータは、いくつかの実施形態では、既存の共通データに基づいて類似すると考えられるいくつかのスマートパネリストのデータに基づいて、選択された基準に従ってブーストパネリストに完成されてもよい。
【００７６】
次いで、いくつかの少なくとも概念的に異なるパネルは、１つ又はいくつかのデータファイルの形態の成果物の分析及び決定のための共同パネルを確立するように結合されてもよい。
【００７７】
いくつかの実施形態では、いくつかの仮想パネリストは、パネル、例えば、複数のパネルの場合はブーストパネルに作成（モデル化）されてもよい。仮想パネリストは、選択されたデータ帰因モデルを利用して既存の物理的な（実際の）パネリストのデータに基づいて計算上生成された装置に照らして、典型的なパネリストを指してもよい。
【００７８】
いくつかの実施形態では、観測は一度に特定の時間期間を対象とすることができ、それは、日、週、月、又は年などのいわゆる報告期間を指してもよい。パネリスト（ユーザ）は、いくつかのパネリストのデータ、すなわち、関連するデバイスによって提供されたデータのどれが選択されるかに基づいて、報告期間を考慮して検証手順を受けることができ、残りは、分析及び／又はデータファイルで提供されるメトリクスなどの結果として得られる成果物において無視される。フィルタリングタスクとして実施されてもよい検証手順の肯定的な結果は、例えば、報告期間の前、間、及び／又は後（好ましくはこれら３つすべて）のユーザの検出された活動を必要としてもよい。活動は、ユーザに関連付けられたデバイスから取得された観測データに基づいて監視されてもよい。追加又は代替として、肯定的検証は、デバイスから取得された十分な及び／又は十分に正しいデータを必要としてもよい。
【００７９】
図２は、本発明の一実施形態による本発明のマルチセッション分析態様などのセッションを描写する。図では、時間は左から右に進む。
【００８０】
本発明の様々な実施形態に関連してマルチセッション（マルチプラットフォーム／マルチデバイス）を決定し分析するために、セッションを定義するための所望の手法が最初に選択されてもよい。アレンの１３の基本的な時間区間関係は、アレンの区間代数の構成要素である。関係は、明確（一対の区間は１つ及びただ１つの関係によって記述される）、網羅的（任意の一対の区間は１つの関係によって記述することができる）、且つ定性的（数値的な期間は必要とされない）である。関係は、先行、会合、重複、被終了、包囲、開始、同等、被開始、被包囲、終了、被重複、被会合、及び被先行である。直感的には、６つの関係は他の６つの関係の逆として記述することができる。例えば、ａがｂと会合する（区間ａが最初に発生し、ａの終了時に区間ｂがシームレスに開始する）の逆は、ｂがａによって会合される（ｂが最初に発生し、その後ｂの終了時にａが続く）である。区間ａとｂの間に何らかの時間がある（つまり、即時切替えではない）場合、該当する関係は先行及び被先行である。
【００８１】
本発明の様々な実施形態のコンテキストでは、例えば、アプリケーションセッションは、明確な開始時間及び終了時間を有するアプリケーション使用の期間として定義することができる。このタイプのセッションは、アレンの有限時間区間の概念と同等である。したがって、マルチデバイスの使用を判断し調査する際に、アレンの関係を利用することができる。関係は、１つ又はそれ以上のデバイスの（使用）セッション間の時間的関係を形式化する。
【００８２】
より詳細には、例えば、アプリケーション（／コンテンツ／メディア）がデバイスの前景に移動することで開始し、アプリケーションが前景から移動（異なるアプリ／コンテンツ／メディアに置き換えられるか、又は、例えばスクリーンオフ）することで終了する露出を示す時間区間として、例えば、アプリ又は他のコンテンツ若しくはメディアのセッションを定義することができる。さらに、単一のデバイス使用セッションを、２つの順次アプリセッション間の最大の選択されたタイムアウト値（例えば、タイムアウト調整の時間分解能が１秒であり得る場合、例えば、数分以下）を有する単一デバイス上のそのようなセッションの集合として定義することができる。
【００８３】
定義上、単一デバイスのアプリセッションは順次的であるため、アレンの関係の先行及び会合（並びにそれらそれぞれの逆の関係）のみが適用可能である。２つのアプリセッションが会合した場合、それらのセッションは同じ使用セッションに属する。アプリセッションが最大タイムアウト時間ウィンドウ内で別のアプリセッションに先行するか又は先行される場合、そのアプリセッションも同じ使用セッションに属する。今後、この関係を、そのような時間ウィンドウ内で先行（被先行）（ＴＷ内で先行（被先行）と省略される）と表記する。したがって、これら４つの関係を組み合わせることにより、複数のアプリセッションを単一のデバイス使用セッションにグループ化することができる。
【００８４】
ユーザの複数のデバイスには、基本的にすべてのアレンの関係が適用可能である。上記で説明されたように、先行及び会合（それらそれぞれの逆の関係を伴う）は順次使用を記述し、残りの関係は、少なくとも部分的に、すなわち、デバイスの重複する同時使用を記述する。
【００８５】
マルチデバイス使用法セッションを構築するために、２ステップのプロセスに従うことができる。第１に、デバイスごとに別々に上記の単一デバイス使用セッション定義を適用する。第２に、複数のデバイスの使用セッションの関係を調査する。単一デバイス使用セッションが少なくとも部分的に同時（重複（逆：被重複）、被終了（終了）、包囲（被包囲）、開始（被開始）、同等）であるか、又はＴＷ内で会合（会合されている）若しくは先行（先行されている）している場合、それらは同じマルチデバイス使用セッションに属すると考えられる。
【００８６】
図２は、２つのデバイス、例えば、スマートフォン及びタブレットのセッションを用いてこのプロセスを示している。水平バーは、様々なレベルのセッション階層上のセッションを表す。
【００８７】
トップレベルセッション２０２は、最も詳述された、例えば、アプリケーションレベル又は一般的にコンテンツ若しくはメディアのセッションであってもよい。区間２１０、２１０Ａは第１のデバイス上の合計４つのセッションを表し、それらのうちの最後の３つは、次の例の観点からの説明のために、ａ、ｂ、及びｃと名付けられている。
【００８８】
区間２１２、２１２Ａ、２１２Ｂは第２のデバイス上の４つのセッションを表し、最初の２つはｄ及びｅと名付けられている。
【００８９】
レベル２０４は単一デバイス使用セッションを指す。レベル２０２の使用セッションは、第１のデバイスを考慮したセッションｆ２１４及びｈ２１４Ａ、並びに第２のデバイスを考慮したセッションｇ２１６、Ｉ２１６Ａ、及び可視タイムラインから延在するセッション２１６Ｂに結合されている。
【００９０】
そのため、レベル２０２、２０４の間の処理ステップ中に行われたことは、各デバイスのアプリセッションへの使用セッション定義の適用である。
【００９１】
後続の抽象化レベル２０６は、マルチデバイス使用セッション２１８及び２１８Ａを指す。レベル２０４、２０６の間の処理ステップ中に、時間ウィンドウ使用セッション内の同時、会合、及び先行は、「崩壊」しているか、又はマルチデバイス使用セッションに併合されている。
【００９２】
アレンの関係を考慮して、示されたシナリオでは、例えば、区間ａはＴＷ内でｂに先行し、ｂはｃに先行し、ｄはｅと会合し、ｆはｇを包囲し、そしてｈはＴＷ内で先行する。
【００９３】
したがって、ユーザは、マルチデバイス使用セッション中に、一度に１つ又はそれ以上のデバイスのいずれかに関与している（又は、最大で、時間的に非整数の、すなわち異なる区間２１０から構成された積分区間ｆ  ２１４を参照してデバイス上の連続セッション間のＴＷ長の中断を有する）。
【００９４】
可用性の概念をさらに定義することができる。２つのデバイスＡ及びＢが与えられると、デバイスＡの使用セッション中にそれらのデバイスがコロケートされている場合、デバイスＡに対してデバイスＢを使用可能として定義することができる。言い換えれば、例えば、両方のデバイス上の同様のアプリケーションを仮定すると、ユーザはデバイスＡではなくデバイスＢを使用している可能性がある。選択された基準に従って、デバイスが地理的に（例えば、ＧＰＳ（全地球測位システム）などの衛星測位データ、及び／又は例えば、セルＩＤ若しくはネットワーク／ＩＰ（インターネットプロトコル）アドレスなどのネットワーク測位データに基づいて）同じ場所にある場合、デバイスはコロケートされていると考えられてもよい。例えば、選択された倍数、例えば２倍の幅をもつ（緯度、経度）ＧＰＳポイントを中心とする四角形、各デバイスによって報告されたＧＰＳ測定値の確度が交差する場合、２つのデバイスは同じ場所にあると見なされてもよい。
【００９５】
さらに、分析を容易にし、それをより多用途且つ記述的にするために、観測データに基づいて様々なセッションタイプを定義し、次いで検出することができる。例えば、各単一デバイス使用セッション（及び拡張により、例えば、セッション内に含まれる各アプリセッション）は、デバイスのタイプ（スマートフォン又はタブレット）、マルチデバイス使用セッションにおける格納（マルチデバイスセッションに含まれている場合は混在、そうでない場合は純粋）、及び他のデバイスの可用性（利用可能又は利用不可）などの、複数の潜在的に３つの異なるバイナリ次元に沿って分類することができる。
【００９６】
決定されたセッション又は一般的に使用若しくはメディア露出情報は、セッション長、セッション中のプラットフォーム切替えの数、デバイスセッション当たりのアプリケーションセッション、選択された時間ウィンドウ当たりのセッション、１日当たりのセッション、時間ウィンドウ当たりの対話時間、１日当たりの対話時間、プラットフォームの切替え当事者、プラットフォーム切替え方向、プラットフォームの重複、スマートフォン及びタブレットの同時使用、２つ以上の異なる技術プラットフォームの同時使用、オンラインプラットフォーム及びオフラインプラットフォームの同時使用、購入行動、並びにオフラインメディアとオンラインメディアとの間の切替えからなる群から選択された少なくとも１つの要素を示すことができる。
【００９７】
より大きいグループのユーザを記述するユーザレベル及び／又は集約レベルの情報が決定されてもよい。
【００９８】
プラットフォーム及び関連セッションを考慮したメディア露出に加えて、メディア又はコンテンツアイテム自体が識別及び／又は分類されてもよく、それらは、メディア会社、広告主などの様々な組織にとって価値のある分析データとなり得る。例えば、コンピュータ（デスクトップ／ラップトップ及び／又はモバイル）アプリケーションは、ショッピング、健康、生産性、地図及びナビゲーション、娯楽及びスポーツ、カメラ、天気、写真及びギャラリー、電子書籍、ゲーム、金融、ソーシャルネットワーキング、音楽及びオーディオ、ビデオ、並びにニュースなどの複数のクラスに割り振られてもよい。使用されている分類方式に応じて、一部のクラスに重複がある場合がある。したがって、計測されたデータから、メディア／コンテンツアイテムに関するメトリクス、及び、例えば、それらの分類又は関連する切替えが決定されてもよい。
【００９９】
図３は、装置１１４の一実施形態の内部を表すブロック図である。以下に記載されるように、電子デバイス１０４ａ〜１０４ｆの様々な実施形態にも、同様の考察が大部分適用可能である。
【０１００】
装置１１４は、サーバコンピュータなどの、少なくとも１つの電子デバイスによって物理的に確立されてもよい。しかしながら、システム１１４は、いくつかの実施形態では、サーバなどの複数の少なくとも機能的に接続されたデバイス、及び場合によっては、さらなる要素、例えばゲートウェイ、プロキシ、データリポジトリ、ファイアウォールなどを備えてもよいサーバ又はコンピューティング／記憶容量提供機器などの、含まれるリソースのうちの少なくともいくつかは、一般に、例えば、クラウドコンピューティング環境から動的に割振り可能であってもよい。
【０１０１】
マイクロプロセッサ、マイクロコントローラ、及び／又はデジタル信号プロセッサなどの、少なくとも１つの処理ユニット３０２が含まれてもよい。処理ユニット３０２は、メモリ２０４に記憶されたコンピュータソフトウェア３０３の形態で具現化された命令を実行するように構成されてもよく、メモリ２０４は、１つ若しくはそれ以上のメモリチップ、又は処理ユニット３０２及び／若しくは他の要素と分離若しくは統合されたメモリユニットを指してもよい。ソフトウェア３０３は、観測データ処理及び成果物としてのクライアント１１１へのデジタルレポートなどの様々な出力ファイルの導出のための、１つ又はそれ以上のアプリケーション、ルーチン、アルゴリズムなどを定義することができる。適切なソフトウェアコード手段を備えるコンピュータプログラム製品が提供されてもよい。それは、例えば、メモリカード、光ディスク、又はＵＳＢ（ユニバーサルシリアルバス）スティックなどの、非一時的キャリア媒体内で具現化されてもよい。プログラムは、送信要素から装置などの受信要素に有線又はワイヤレスで信号又は信号の組合せとして転送することができる。
【０１０２】
好ましい構造のデータベース１１２などの１つ又はそれ以上のデータリポジトリ、並びに記憶する、例えば、受信された観測データ、中間分析結果、基準データ、成果物は、例えば、処理ユニット３０２による利用のためにメモリ３０４内に確立されてもよい。リポジトリは、例えば、ＲＡＭ（ランダムアクセスメモリ）メモリ、ＲＯＭ（読取り専用メモリ）、フラッシュ、磁気／ハードディスク、光ディスク、メモリカードなどを物理的に組み込むことができる。
【０１０３】
ＵＩ（ユーザインターフェース）３０６は、装置（例えば、ライブラリの定義又は一般的にデータ管理規則若しくはデータ分析ロジック）を制御し、且つ／又は収集及び導出されたデータにアクセスする（視覚化する、配信する）ための必要な制御及びアクセスツールを提供することができる。ＵＩ２０６は、データ入力（例えば、キーボード、タッチスクリーン、マウス、音声入力）及び出力（ディスプレイ、音声出力）、並びに／又は場合によっては、ウェブインターフェース、好ましくはウェブブラウザインターフェースを介したリモート入力及び出力のためのローカル構成要素を含んでもよい。したがって、システムは、例えばウェブサーバをホストするか、又はそれに少なくとも機能的に接続されてもよい。
【０１０４】
したがって、描写された通信インターフェース３１０は、潜在的に制御を含む、データ入力及び出力の目的で、いくつかの外部デバイス及びシステムを本発明のシステムとインターフェース接続するための有線ネットワーク（例えば、イーサネット（登録商標））及び／又はワイヤレスネットワーク（例えば、ワイヤレスＬＡＮ（ＷＬＡＮ）若しくはセルラー）インターフェースなどの、１つ又はそれ以上の有線及び／又はワイヤレスのデータインターフェースを指す。装置１１４は、インターネットとの容易且つ広範囲な通信をグローバルに可能にするために、インターネットに接続されてもよい。装置１１４の一実施形態が複数の機能的に接続されたデバイスを備えるとき、そのような装置のいずれも処理ユニット、メモリ、及び、例えばそれ自体の（相互及び／又は外部通信用の）通信インターフェースを含んでもよいことを当業者が考えることは容易である。
【０１０５】
それにデータを提供し、又はそれから成果物などのデータを取得するための装置１１４に直接的又は間接的に接続された電子（端末）デバイス及び／又は外部デバイス／システムは、一般に、プロセッサ３０２、メモリ３０４、及び通信インターフェース３１０などの少なくとも機能的に類似するハードウェア要素を含んでもよい。好ましくは、特に、様々な好ましくは個人端末などのパネリストを所有するユーザデバイスは、パネリストのメディア使用に関するデータを収集するための使用量メーターを装備することができる。計測ロジックは、例えば、他のソフトウェアとバンドルされているとき、直接的に又は様々なホストアプリケーションシステムを介して、いくつかの潜在的に事前定義されたイベント、発生、測定に関するデータを記録し、装置に向けてログを提供するように構成されてもよい。
【０１０６】
電子デバイスは、デバイスの状況及び／又は環境、したがって関連するユーザ（これら２つが空間的に近いままであると考えられるとき）に関するデータを収集する１つ又はそれ以上のセンサを含んでもよい。例えば、加速度計などの慣性センサは、例えば、移動若しくは動きの状況、又は一般的に活動データを取得するために利用されてもよく、一方、マイクロフォンは、例えば、オフラインメディア露出、又は、例えば場所若しくは活動状況（例えば、議論、映画館、会議、睡眠、交通機関／乗り物など）を示す周辺音声を取り込むことに利用されてもよい。
【０１０７】
図４は、本発明の一実施形態によるクロスプラットフォーム監視ソリューションが、分析のために検出し記録することが可能な様々なイベントを示す。本明細書で説明されるように、ユーザ、例えば「ジム」に関連付けられた電子デバイス内で動作する使用量メーターは、ジムの１日の間のメディア露出を含む選択されたイベントをバックグラウンドで観測するように構成される。
【０１０８】
４０２において、ジムはテレビでモーニングショーを視ながら朝食を楽しむ。
【０１０９】
例えば、オーディオ及び／又は画像／ビデオの（それぞれ、マイクロフォン及び／又はカメラを介する）取込み、並びに好ましくはその中のマッチング機能も備えた、スマートテレビ又は近くにある他の電子デバイスは、メディア露出の指示並びにオプションのコンテキスト情報（例えば、時間、位置、及び／又は、朝食中の動き若しくは通常、動きの欠如を示す加速度計データなどのセンサデータ）を記憶する。オーディオマッチング又は音声マッチングするために、デバイスは基準データベースを提供されてもよく、それに基づいて、特性ベクトル又は他の特性データなどの、それから取り込まれたオーディオ又はそれから導出されたデータは、特定の基準とのマッチングに応答して認識される。
【０１１０】
或いは、前述のマッチングは、例えば、取り込む電子ユーザデバイスによって提供され、例えば、基準データとの後のマッチング手順を可能にする、それらから導出された（ベクトル化されたデータなどの）デジタル音声データ又は圧縮データを含むデータに基づいて、装置又はサードパーティサーバによってリモートで実行されてもよい。いくつかの実施形態では、マッチングは、電子デバイスと、コンテンツを認識する装置又はサードパーティサーバなどのリモート要素との間の協調を含んでもよい。マッチングタスク又は関連手順の実行は共有されてもよく、且つ／又は要素はデバイス外部のマッチングサービスを提供してもよく、その結果（部分的、中間的、又は最終的な認識結果）は、次いで、例えば、さらなる処理及び／又は記憶のために端末に返されてもよい。
【０１１１】
４０４において、ジムは、仕事の後に何かをするという提案を含む、彼のタブレット上のメッセージを受け取る。
【０１１２】
タブレットなどの電子デバイスは、使用量メーターによって受信又は送信されたメッセージを検出し、装置への即時又は将来の送信のためにその指示を記録することができる。
【０１１３】
４０６において、ジムは、彼のスマートフォン上でタクシー、又は、例えばＵｂｅｒ（登録商標）の乗車をオーダーする。
【０１１４】
スマートフォン又は他の電子デバイスは、実際には、例えば、使用量メーターによる様々なアプリケーション、ブラウザ、又はメッセージングソリューションに関連して、データ転送に関して観測されてもよい。
【０１１５】
４０８において、仕事に向かう途中、ジムは、Ｂｌａｃｋｈａｗｋｓ（登録商標）が今夜演奏することをラジオで聞く。やはり、メディア露出の指示は、使用量メーターと共に端末によって記憶される。
【０１１６】
例えば、オーディオマッチングに基づく、例えば、メディアチャネル／ネットワーク、又は特定のプログラムの一般的な認識に加えて、又はその代わりに、音声認識及び／又は音声検出（すなわち、例えばスペクトル分析に基づいて、音声があるか否か）は、デバイス又はリモートロケーション（装置又はサードパーティサーバ）において、テキスト変換及びしたがって、その関連する意味情報を決定するために、オーディオ信号に適用されてもよい。
【０１１７】
作業４１０において、ジムは彼の友人に電話をし、彼のＰＣ（パーソナルコンピュータ）上で試合のチケットを購入する。
【０１１８】
デスクトップ、ラップトップ、又はウェアラブルコンピュータなどのコンピュータも観測されてもよい。また、通話が使用量メーターによって分析されてもよい。やはり、音声認識、音声検出、及び／又はオーディオマッチングは、デバイス又はリモートのいずれかで適用可能である。
【０１１９】
４１２において、ジムは、試合前の軽い食事をし、そのシーンに関連付けられたＩｎｓｔａｇｒａｍ（登録商標）に写真（デジタル写真）を投稿する。
【０１２０】
電子デバイスのカメラを介して潜在的に取り込まれた画像又はビデオデータもまた、すでに以前暗示されたように使用量計によって観測され記録されてもよい。パターン認識などの画像分析は、例えば、メーターによってローカルに適用されてもよく、又は装置によってリモートに適用されてもよい。オーディオ又は純粋な音声クリップを有するビデオを考慮して、音声認識、音声検出、及び／又はオーディオマッチングが適用されてもよい。
【０１２１】
ここで他の記録されたイベントに関連して、位置などのコンテキスト情報も観測され、記録されたデータと関連付けられてもよい。
【０１２２】
４１４において、ジムはその地域に歩いて行き、Ｓｐｏｔｉｆｙ（登録商標）を聴くことによってご機嫌になる。
【０１２３】
配信されたコンテンツを考慮しても、外部サービスの使用が観測され記録されてもよい（例えば、場合によっては、関連するメタデータ、オーディオマッチング、又は一般的にパターン認識を使用して識別されてもよい）。
【０１２４】
４１６において、ジムは意図的に自分の居場所を共有し、彼の友人に会う。
【０１２５】
装置は、デバイスによって提供された観測データに基づいて、様々なユーザに関連付けられた２つのデバイスの地理的近傍を検出することができる。そのような検出の指示は、例えば、分析及び選択されたメトリクスの作成中に記憶され利用されてもよい。例えば、ユーザの社会的状況（例えば、単独対幾人かの友人と一緒）に応じて、メディア露出を含むデバイス使用に関してユーザ行動が調査されてもよい。
【０１２６】
４１８において、ジムはＴｗｉｔｔｅｒ（登録商標）を使用して最初のスコアを公表する。
【０１２７】
ソーシャルメディアのサービス及びアプリケーションの使用が観測されてもよい。
【０１２８】
４２０において、ジムはＶｉｎｅ（登録商標）上で試合のクリップを共有する。本明細書で前述されたように、ビデオクリップなどのメディアクリップの取込み及び／又は共有（転送）も観測されてもよい。クリップは、場合によっては、上述されたようにそれらの内容を特定するために分析されてもよい。
【０１２９】
４２２において、試合後、ジムは試合のハイライト、タイムシフト、及びオンデマンドを視る。そのようなサービスの使用、及び一般的に、例えば関連するメディア露出を含むメディアストリーミングは、メーターによって観測され記録されてもよい。
【０１３０】
図５は、ほんの一例として、提案されたシングルソース測定手段の概念、並びにデバイス及びメディアの使用を含むユーザの行動への洞察を提供するための関連態様を視覚化する。
【０１３１】
アイテム５０２は、観測され分析されたタブレット及び電子書籍の行動監視を指し、それは、アプリの使用、デバイスの機能及びデータの使用、メディアストリーミング、並びに／又は広告を含んでもよい。
【０１３２】
アイテム５０４は、スマートフォン又は一般的に携帯電話若しくはモバイル端末の行動監視を指し、それは、ウェブ及びアプリの使用、デバイスの機能及びデータの使用、並びに／又はメディアストリーミングを含んでもよい。
【０１３３】
アイテム５０６は、提案されたソリューションがオフライン環境内の電子商取引及び例えば、購入プロファイルを追跡するように構成されてもよいように購買行動を指す。
【０１３４】
アイテム５０８はデータマッチングを指し、それは、Ｅｘｐｅｒｉａｎ（登録商標）又は他のサードパーティデータを使用して、例えば、ユーザに関して利用可能なＰＩＩ（個人識別可能情報）を介してユーザデータを修正又は養成することを含んでもよい。
【０１３５】
アイテム５１０は、コンピュータ又は「ＰＣ」の行動を指し、それは、例えば、デスクトップ及びラップトップ、潜在的にウェアラブルなコンピュータ、関連するウェブ及びアプリの使用、デバイスの機能及びデータの使用、並びに／又はメディアストリーミングを観測することを含んでもよい。
【０１３６】
アイテム５１２は、オフラインメディアの監視（例えば、オーディオマッチングを介したテレビ及びラジオ）を指し、それは、ネットワーク／チャネル／局、テレビ／ラジオショー、映画又は他の特定のメディア若しくはコンテンツアイテム、及び／或いは広告を追跡することを含んでもよい。
【０１３７】
アイテム５１４は、人口統計を指し、それは、年齢、性別、収入、世帯規模、配偶者の有無、人種、民族、及び／又は州などの、ユーザ又は「デジタル消費者」の背景に関する総体的な機密情報を収集することを含んでもよい。
【０１３８】
図６は、その実施形態に従って利用される測定方法のインフォグラフィックを示す。
【０１３９】
測定データは、場合によっては、他のソフトウェアとバンドルされ、オプトインベースでインストール又は使用された研究アプリケーションとしてたぶん実装された使用量メーターを備える１つ又はそれ以上の電子デバイスを所有するユーザの複数のグループを参照して、複数の様々なユーザパネル６０２、６０４などの複数のソースから取得されてもよい。本明細書で前述されたように、少なくとも１つのパネル６０２は、ロングテール計測に追加し、より多くの数のユーザ及び関連デバイスを含むが、完全性又は信頼性の低いデータを提供する場合があり、一方、１つの他のパネル６０４は、厳密に制御され、投影可能な、好ましくは常にマルチスクリーンのサンプルに基づいてもよい。
【０１４０】
較正データ６０６、６０８、６１０は、好ましくは、様々な人口統計グループ６０６（すなわち、例えば、別々の調査によって取得されてもよいユーザ又は「消費者」）、プラットフォーム６０８、及び市場参加者（分析、ソフトウェア開発キット、開発者など）のコンテンツ６１０にわたって選択されたデジタル対象聴衆全体をカバーする。
【０１４１】
パネリストデバイスから収集された観測データは、較正データに基づいて、選択された重み付け方式に従ってパネリストデータを重み付けすることにより、より大きい又は異なる母集団を表すように適合（例えば、シフト又はさもなければ調整）されてもよい。較正データにより、測定の人口統計及び行動の代表性を保証するためのロングテール及び独立した基本的な真実に対する洞察を得ることが可能になる。
【０１４２】
図７は、本発明による方法の一実施形態を開示する流れ図７００である。示された図は複数の明確な方法項目を含むが、様々な他の実施形態では、すべての同じ項目が存在する必要はない。図には示されていないさらなる方法項目も存在してもよい。実施形態に応じて、いくつかの既存の方法項目が組み合わされて実現されてもよい。また、項目の順序付けは項目間で異なってもよく、且つ／又はそれらの実行は、例えば、以下でより詳細に説明される項目７０８及び７１０を考慮して重複してもよい。
【０１４３】
方法起動７０４において、様々な準備タスクが実行される。電子ユーザデバイス、好ましくは個人用ユーザデバイスを利用する自動測定を含む、関係するユーザ（パネル）研究のための、例えば、層別化割当量及び較正データを確立するために、例えば、１つ又はそれ以上の構造研究が実行されてもよく、調査／アンケートが実施されてもよい。
【０１４４】
７０６において、パネリストとして行動するユーザが募集されてもよい（例えば、ユーザがダウンロードした他のソフトウェアとバンドルされているオプトイン登録された測定ソフトウェア）。計測ソフトウェアが電子デバイスにインストールされ、そこで構成されてもよい。通信接続及び通信リンクが確立されテストされてもよい。装置は、記憶、処理、及びその後のレポートなどの関連する成果物の確立のために、使用量メーターを備えた電子ユーザデバイスなどのリモート要素からデータを受信又はフェッチするようにセットアップ及び構成されてもよい。
【０１４５】
７０８において、電子デバイスは、マイクロフォン又は他のオーディオ変換器などの１つ又はそれ以上のセンサによって環境からの音声信号などの周囲データを取り込む。
【０１４６】
センサデータは、場合によっては、圧縮並びに／又は例えば、ローカル分析及び／若しくはリモート分析の目的のための特徴（ベクトル）抽出などの処理の後に、電子デバイスに記憶されてもよい。
【０１４７】
７１０において、通常、選択された監視活動及び検出活動を含む、関心のあるイベントが観測され、例えば、１つ又はそれ以上のログファイルに記憶される。使用量メーターを実行する電子デバイスは、ユーザ活動、特にメディア露出を含む選択されたイベント、及び好ましくは位置情報、社会情報、移動又は動き情報などのコンテキスト情報を提供する様々な他のイベントも観測及び記録するように構成される。例えば、直接デバイスを介して行われるアプリケーション又はウェブベースの露出に基づくオンラインタイプのメディア露出に加えて、オフライン現象、特にオフラインメディア露出は、前述されたマイクロフォン及び／又は例えばデバイスのカメラなどのいくつかのセンサによって監視されてもよい。
【０１４８】
センサデータは、一般に、デバイス及びユーザの状況を特定する際に利用されてもよい。特に、センサデータは、ラジオ又はテレビ放送などのオフラインメディア、又は例えば、モール、群衆イベント、コンサート、劇場、映画館、オペラ、スポーツイベントなどの公共の場における広告若しくは他のメディアを含む、例えば、オーディオを含み、且つ／若しくは絵による情報へのユーザの露出を測定するために適用されてもよい。
【０１４９】
実際には、項目７０８、７１０の両方は、メディア露出を示す内部発生オンラインイベントの観測及び記録中に、発生したオフラインイベントも関連データを取り込むマイクロフォンなどのセンサの助けを借りて正式に登録されるように、重複して、又は少なくとも交互に時間的に実質上同時に実行されてもよい。
【０１５０】
項目７１２は、装置の一実施形態への記録されたデータの転送を指す。電子デバイスは、選択されたスケジューリング方式に従ってデータを送信するように構成されてもよい。送信は周期的、場合によっては定期的、若しくはさもなければ、例えばクロック制御されたように発生してもよく、且つ／又は送信を発生させる他のより具体的なトリガ条件が定義され監視されてもよい。いくつかの実施形態では、装置又は他の外部要素は、デバイスからのデータをフェッチ又は要求するように構成されてもよい。送信されたログでは、複数の記録されたイベントを考慮したデータが一緒に転送されてもよく、すなわち、あらゆる単一の検出され記録されたイベントが送信をトリガする必要がなく、単独で転送される必要もない。代わりに、複数のイベントに関する大量のデータが最初に収集され、次いで、バッチで適切な瞬間に送信されてもよい。
【０１５１】
点線は、方法項目を実行するための主たる責任に関して、端末又は一般的に電子デバイス側からネットワークへの、詳細には、装置側への一般的な切替えを示す。
【０１５２】
７１４において、電子デバイス内に収集された観測データなどのデータが、装置で受信又は一般的に取得される。データは、例えば、いくつかのログファイルの形態で受信されてもよい。データは、例えば、位置データ又はセンサ情報などのコンテキスト情報を含んでもよい。データは、名前などのユーザの絶対的な識別情報を知ることが重要ではないすべての可能性のある場合において、関連するユーザの匿名性を好ましくは依然として維持しながら、送信デバイスを識別することができる。しかしながら、デバイスのクロスプラットフォーム使用を検査するために、例えば、メディア露出に鑑みて、いくつかのデバイスから取得されたが、特定のユーザに関連付けられたデータを一緒にリンクする能力は重要であると考えられてもよく、その結果、データは、同じデバイスからの異なるデータ送信を一緒に関連付け、同じユーザのいくつかのデバイスのデータも一緒にリンクするために、デバイスＩＤ及び／若しくはユーザＩＤなどの十分な識別情報（又は一般的に、例えば行動、デバイス、アプリケーション、サービス及び／若しくは位置データを含む、十分と考えられる可能性を有し、場合によっては他のユーザから特定のユーザを匿名で区別することを可能にする任意の適用可能なプロファイル情報）を好ましくは含む。
【０１５３】
７１６において、データは、単一ソースのユーザレベルの測定及びメトリクスの観点から、その将来の分析を容易にするために、前述に照らして適切に記憶され、好ましくはまた適切に関連付けられる（リンクされる）。
【０１５４】
７１８及び７２０において、データが分析され、それぞれ、選択された成果物（分析された出力データ）が決定される。関連するタスクはさらに、データの重み付け、較正、及び／又は有効性検査を含んでもよい。較正は、例えば、国ごとなどの地域又は領域に対して、例えば、調査及び他の行動データを較正対象として利用して行われてもよい。
【０１５５】
一般に、項目７２０は、装置のユーザ（クライアント）が受け取りに熱心であるコンピュータ可読ファイルとして具体化されたデジタルレポートなどの所望の成果物の生成を組み込む。成果物は、例えば、所望の期間を考慮して取得及び処理されたデータに基づいて、７１８において導出されたいくつかのメトリクス及び／又は統計データを含んでもよい。メディア視聴者自身、並びにそれらのクロスメディア消費、関連する習慣、好み、嫌い、傾向などが記述されてもよい。
【０１５６】
成果物は、サービス又はコンテンツの個人化、及び例えば、場合によっては使用されるロジックに従ってそれに自動的に基づく（技術的）システム最適化（帯域幅など）を含む、その機能又は動作を受領者が調整することを可能にする、事前定義された専用又はより一般的に使用されるデジタル（ファイル）フォーマットであってもよい。
【０１５７】
いくつかの制御信号は、アプリケーション、（例えば、ウェブサイト又はウェブページ上で実行される）サービス、メディア、若しくは一般的にコンテンツアイテムの特性、及び／又はそれらの配信特性（例えば、配信プラットフォームの選択、放送／配信時間の最適化、品質／帯域幅の最適化など）、電子デバイスの機能、並びに／或いはネットワーク機能（例えば、メディアルーティング又はデータ転送容量）を最適化するために、分析に基づいて決定及び送信されてもよい。
【０１５８】
７２２において、方法の実行が終了する。方法項目のうちの１つ又はそれ以上を実行するためのソフトウェアは、サーバ又は電子端末デバイスなどのコンピュータ上で実行されると、メモリカード、光ディスク、若しくは磁気ディスクなどの非一時的コンピュータ可読キャリア媒体内で具現化されるか、又は有線若しくはワイヤレスのネットワークを潜在的に含む通信接続を介して信号として送信されてもよい。
【０１５９】
本発明の様々な態様の一般的範囲は、均等論の適用可能性を考慮して、その適切な国内拡張を伴う添付の独立請求項によって定義される。
【図１】
2019532378.tif 000003
【図２】
2019532378.tif 000004
【図３】
2019532378.tif 000005
【図４】
2019532378.tif 000006
【図５】
2019532378.tif 000007
【図６】
2019532378.tif 000008
【図７】
2019532378.tif 000009
【国際調査報告】
2019532378.tif 000010
2019532378.tif 000011
2019532378.tif 000012